(57)【特許請求の範囲】
【請求項１】
屋外側へ突出する突出部材との取合い部を含む外壁の止水構造であって、
前記外壁は、屋外に面し、かつ、その表面側において前記突出部材と交差する外壁面材と、前記外壁面材の屋内側に形成された通気層とを含み、
前記突出部材よりも上方に位置する前記外壁面材の上端面に沿って配置される水切り部材を備え、
前記水切り部材は、屋外側に位置し、前記外壁面材の上端部に当接する第１の部分と、前記第１の部分の屋内側端部に連結され、かつ、前記外壁面材の前記上端面から浮いた状態で配置されることによって前記上端面との間に前記通気層に連通する空間を形成する第２の部分とを含み、
前記水切り部材を、前記外壁の上部に固定するための固定部材をさらに備える、外壁の止水構造。
【請求項２】
前記水切り部材は、前記第１の部分と前記第２の部分とによって段差が形成されている、請求項１に記載の外壁の止水構造。
【請求項３】
前記水切り部材は、
前記外壁面材の前記上端面に沿って配置され、前記外壁面材の屋外側端部から屋内側端部まで延びる板状部材と、
前記板状部材の下面であって前記第１の部分に相当する位置に配置される乾式防水シール材とを含む、請求項２に記載の外壁の止水構造。
【請求項４】
前記固定部材は、前記通気層に嵌入される嵌入部と、前記水切り部材の上部を上方から押さえて固定する押さえ部とを含む、請求項２または３に記載の外壁の止水構造。
【請求項５】
前記水切り部材は、前記板状部材の屋内側端部より立ち上がる縁部をさらに含み、
前記固定部材は、前記縁部を係止する係止部をさらに含む、請求項４に記載の外壁の止水構造。
【請求項６】
前記外壁面材は、上下方向に貫通する複数の空洞を有しており、
前記外壁面材の前記上端面と前記水切り部材の前記第２の部分との間の空間と、前記複数の空洞の少なくとも一部とが連通状態となるように、前記段差の境界位置が選ばれている、請求項１に記載の外壁の止水構造。
【請求項７】
表面側において突出部材と交差する外壁面材と、前記外壁面材の屋内側に形成された通気層とを含む外壁の上部に配置される、外壁の止水ユニットであって、
前記突出部材よりも上方に位置する前記外壁面材の上端面に沿って配置される水切り部材と、
前記水切り部材を、前記外壁の前記上部に固定するための固定部材とを備え、
前記水切り部材は、屋外側に位置し、前記外壁面材の上端部に当接する第１の部分と、前記第１の部分の屋内側端部に連結され、かつ、前記外壁面材の前記上端面から浮いた状態で配置されることによって前記上端面との間に前記通気層に連通する空間を形成する第２の部分とを含む、外壁の止水ユニット。
【発明の詳細な説明】
【技術分野】
【０００１】
本発明は、外壁の止水構造および止水ユニットに関し、特に、屋外側へ突出する突出部材との取合い部を含む外壁の止水構造および止水ユニットに関する。
【背景技術】
【０００２】
住宅等の建物において、小屋裏空間の換気を行うために、軒先や軒元から外気が取り込まれる。軒元から外気を取り込む場合、外壁と軒天部材との取合い部に通気口が設けられる。その場合、通気口より軒裏空間に浸入する雨水が、小屋裏空間にまで浸入しないように、水返し材が設けられる。
【０００３】
たとえば特開２００８−１５６８９７号公報（特許文献１）では、水返し材が、外壁面材よりも屋外側に突出するように、外壁上部に配置されている。この水返し材は、隣接する胴縁間に嵌入される水返し固定クリップによって挟持されることで、外壁上部にボルトレスで固定されている。
【０００４】
また、特開２０１０−２２９６３２号公報（特許文献２）に示されるように、軒元からの雨水の浸入を、水返しシートによって防止する軒裏防水構造も提案されている。水返しシートは、一端が外壁に固定され、他端が屋根の垂木に固定されている。
【先行技術文献】
【特許文献】
【０００５】
【特許文献１】特開２００８−１５６８９７号公報
【特許文献２】特開２０１０−２２９６３２号公報
【発明の概要】
【発明が解決しようとする課題】
【０００６】
特許文献１では、水返し材は、固定クリップによって、外壁面材の上端面より浮いた状態で固定されている。また、特許文献２では、水返しシートの一端は、たとえば断熱材と外壁フレームとの間など、外壁面材よりも屋内側に固定されている。そのため、従来の水返し材や水返しシートによれば、軒裏空間に浸入した雨水が、外壁面材の上端面に掛かってしまう可能性がある。そうすると、外壁面材の材質や種類によっては、雨水によって外壁面材の凍結や劣化を引き起こす可能性がある。
【０００７】
本発明は、上記のような課題を解決するためになされたものであって、その目的は、外壁面材の劣化を防止することのできる外壁の止水構造および止水ユニットを提供することである。
【課題を解決するための手段】
【０００８】
この発明のある局面に従う外壁の止水構造は、屋外側へ突出する突出部材との取合い部を含む外壁の止水構造である。外壁は、屋外に面する外壁面材を含む。止水構造は、外壁面材の上端面に沿って配置される水切り部材と、水切り部材を、外壁の上部に固定するための固定部材とを備える。水切り部材は、屋外側に位置し、外壁面材の上端部に当接する第１の部分と、屋内側に位置し、外壁面材の上端面から浮いた状態で配置される第２の部分とを含む。
【０００９】
「外壁面材の上端部」とは、外壁面材の上端に位置する平面（すなわち上端面）と、屋外側の上端角部またはその近傍とを含む。
【００１０】
好ましくは、水切り部材は、第１の部分と第２の部分とによって段差が形成されている。
【００１１】
水切り部材は、外壁面材の上端面に沿って配置され、外壁面材の屋外側端部から屋内側端部まで延びる板状部材と、板状部材の下面であって第１の部分に相当する位置に配置される乾式防水シール材とを含むことが望ましい。
【００１２】
好ましくは、外壁は、外壁面材の屋内側の面に沿って間隔を置いて配置される複数の胴縁と、複数の胴縁の屋内側に配置される断熱材とをさらに含む。この場合、固定部材は、隣接する胴縁間に嵌入される嵌入部と、水切り部材の上部を上方から押さえて固定する押さえ部とを含むことが望ましい。
【００１３】
水切り部材は、板状部材の屋内側端部より立ち上がる縁部をさらに含んでいてもよい。この場合、固定部材は、縁部を係止する係止部をさらに含むことが望ましい。
【００１４】
外壁面材は、上下方向に貫通する複数の空洞を有していてもよい。この場合、外壁面材の上端面と水切り部材の第２の部分との間の空間と、複数の空洞の少なくとも一部とが連通状態となるように、段差の境界位置が選ばれていることが望ましい。
【００１５】
この発明のある局面に従う外壁の止水ユニットは、外壁の上部に配置される外壁の止水ユニットであって、外壁に含まれる外壁面材の上端面に沿って配置される水切り部材と、水切り部材を、外壁の上部に固定するための固定部材とを備える。水切り部材は、屋外側に位置し、外壁面材の上端面に当接する第１の部分と、屋内側に位置し、外壁面材の上端面から浮いた状態で配置される第２の部分とを含む。
【発明の効果】
【００１６】
本発明によれば、水切り部材によって、外壁面材の上端面の防水と、上端面からの湿気の排出機能の確保との両方を実現することができる。したがって、外壁面材の材質や種類に関わらず、外壁面材の劣化を防止することができる。
【図面の簡単な説明】
【００１７】
【図１】本発明の実施の形態に係る外壁の止水構造の概要を示す概略断面図である。
【図２】本発明の実施の形態に係る外壁の止水構造の要部を拡大して示す拡大断面図である。
【図３】本発明の実施の形態に係る外壁面材の特徴を模式的に示す模式上面図である。
【図４】本発明の実施の形態に係る水切り部材の構造例を示す斜視図である。
【図５】本発明の実施の形態に係る固定部材の構造例を示す斜視図である。
【図６】本発明の実施の形態に係る水切り部材と固定部材との組み立て手順を示す図である。
【図７】本発明の実施の形態に係る水切り部材の設置手順を示す斜視図である。
【図８】本発明の実施の形態の変形例１に係る水切り部材の構造例を示す斜視図である。
【図９】本発明の実施の形態の変形例３に係る水切り部材を用いた止水構造を示す断面図である。
【図１０】外壁の上部に取り付けられる一般的な水切り部材を模式的に示す模式断面図である。
【発明を実施するための形態】
【００１８】
本発明の実施の形態について図面を参照しながら詳細に説明する。なお、図中同一または相当部分には同一符号を付してその説明は繰返さない。
【００１９】
本実施の形態では、一例として、軒天部材との取合い部を含む外壁の止水構造について説明する。軒天部材は、軒天ボードと、軒天ボードを外壁面材の表面に取り付けるための軒天ランナーとを含む。なお、外壁より屋外側へ突出する突出部材としては、軒天部材などの水平方向に延びる部材に限定されず、外壁より斜め下方に延びる屋根材などであってもよい。
【００２０】
（概要について）
外壁の上部に配置される一般的な水切り部材について、簡単に説明する。
【００２１】
図１は、本発明の実施の形態に係る外壁の止水構造の概要を示す概略断面図である。図２は、外壁の止水構造の要部を拡大して示す拡大断面図である。
【００２２】
図１および図２を参照して、本実施の形態に係る建物の外壁１０は、外壁面材１１と、断熱材１３と、外壁フレーム１４とを含んでいる。外壁面材１１と断熱材１３との間には、上下方向に延びる複数の胴縁が配置されている。複数の胴縁間には、胴縁の厚み分の通気層１２が形成されている。
【００２３】
外壁１０は、いわゆる厚物外壁である。そのため、外壁面材１１は、一般的な外壁面材よりも厚みが大きく、その表面１１ａには、重厚感を生じさせる大きな凹凸が形成されている。外壁面材１１の厚みＴ１は、たとえば３４ｍｍ程度である。
【００２４】
この建物において、小屋裏換気のための通気口は、軒元側にはなく、たとえば軒先側に設けられている。そのため、軒天ボード２０を固定するための軒天ランナー２１と外壁面材１１との取合い部は、乾式防水シール材２２などによって止水されている。
【００２５】
図３は、本発明の実施の形態に係る外壁面材１１の特徴を模式的に示す模式上面図である。図３を参照して、外壁面材１１の表面１１ａには、上述のように大きな凹凸がある。そのため、乾式防水シール材２２によってこの凹凸に追従し切れず、外壁面材１１の表面１１ａと乾式防水シール材２２との間には、小さい隙間２３ができてしまう。したがって、暴風雨の際などにおいては、雨水が、この隙間２３を通過して軒裏空間に吹き上がってくる可能性がある。取合い部と外壁１０の上端面１１ｂとの間の距離が十分にある場合には、軒裏空間に浸入してきた水が、外壁面材１１の上端面１１ｂにまで到達することは考え難い。しかし、軒の出が浅い場合には、この距離が短くなるため、このような建物においては特に、外壁面材１１の上端面１１ｂに少量の水が掛かる場合がある。
【００２６】
また、図３に示されるように、外壁面材１１の厚みを大きくすると、その製造過程において、上下方向に貫通する複数の空洞（中空層）１５が生じる。この場合、外壁面材１１の上端面１１ｂには、空洞１５の開口（以下「小口」という）１５ａが、厚み方向略中央位置に、一列に並ぶように形成される。そのため、外壁面材１１の上端面１１ｂに水が掛かると、小口１５ａから空洞１５内に水が浸入してしまう。そうすると、外壁面材１１の凍結や劣化につながる。
【００２７】
そこで、本実施の形態では、外壁面材１１の上端面１１ｂに沿って、水切り部材３を配置することとしている。なお、一般的に、外壁１０の上部に取り付けられる水切り部材としては、図１０に示すようなものである。
【００２８】
図１０では、軒天ボード１２０を固定する軒天ランナー１２１に通気口１２１ａが設けられている。この場合、通気口１２１ａより外気とともに雨水が吹き上がり易い。そのため、外壁面材１１１の上部表面１１１ａに、屋外側（軒先側）へ突出する水切り部材１３０が取り付けられている。しかし、一般的な外壁面材１１１の厚みＴ２は、１６〜２５ｍｍ程度であり、外壁面材１１１には上述のような空洞１５はできないことが多い。したがって、一般的な水切り部材１３０では、外壁面材１１１の上端面１１１ｂの防水が考慮されていない。
【００２９】
これに対し、本実施の形態では、外壁面材１１の上端面１１ｂに蓋をするべく水切り部材３が設けられる。以下に、本実施の形態に係る水切り部材３の構造例および配置例について詳細に説明する。
【００３０】
（水切り部材の構造例）
図４は、本発明の実施の形態に係る水切り部材３の構造例を示す斜視図である。図２および図４を参照して、水切り部材３は、外壁面材１１の上端面１１ｂに沿って配置される。具体的には、外壁面材１１の上端面１１ｂの長手方向（横幅方向）に沿って、複数ピースの水切り部材３が隙間なく配置される。また、水切り部材３は、外壁面材１１の厚み方向において、外壁面材１１の屋外側端部から屋内側端部にまで延びている。水切り部材３は、外壁面材１１の屋外側端縁から外側へ突出していてもよい。
【００３１】
水切り部材３は、本体部としての板状部材３１と、板状部材３１の下面に貼り付けられる乾式防水シール材３２と、板状部材３１の屋内側端部より立ち上がる縁部３３とを含んでいる。板状部材３１は、矩形形状を有する平板部である。板状部材３１の長手方向が、外壁面材１１の横幅方向に沿うように配置される。また、板状部材３１は、外壁面材１１の屋外側端部から屋内側端部にまで延びるように配置される。
【００３２】
乾式防水シール材３２は、板状部材３１の屋外側端縁から略中央位置までの範囲に、板状部材３１の長手方向に沿って貼り付けられている。乾式防水シール材３２は、圧縮可能な弾性体からなり、その材質は、たとえば発泡体ゴムである。乾式防水シール材３２としては、たとえば、日東電工株式会社製のエプトシーラー（登録商標）が用いられてもよい。なお、軒天ランナー２１との取合い部に設けられた上述の乾式防水シール材２２も、乾式防水シール材３２と同じ材質であってもよい。
【００３３】
このように、板状部材３１の下面の屋外側半分に、乾式防水シール材３２が設けられている。そのため、水切り部材３は、外壁面材１１の厚みの範囲内に段差を有するように形成されている。つまり、水切り部材３は、外壁面材１１の上端面１１ｂに当接する第１の部分と、外壁面材１１の上端面１１ｂから浮いた状態で配置される第２の部分とを含んでいる。第２の部分においてのみ、外壁面材１１の上端面１１ｂと水切り部材３との間に空間（隙間）５が存在する。本実施の形態では、第１の部分は、乾式防水シール材３２が貼り付けられた部分を表わし、第２の部分は、乾式防水シール材３２が貼り付けられていない部分を表わしている。
【００３４】
水切り部材３により形成される段差の境界位置が、図３において仮想線Ｌ１にて示されている。この仮想線Ｌ１は、乾式防水シール材３２の屋内側端縁のラインと一致する。図３に示されるように、本実施の形態では、外壁面材１１の上端面１１ｂに現れる小口１５ａの列上に仮想線Ｌ１がある。つまり、水切り部材３は、空洞１５の小口１５ａの全てを乾式防水シール材３２によって塞がないようにしている。したがって、空洞１５内の湿気を適切に外部に逃がすことができる。なお、段差の境界位置は、外壁面材１１の上端面１１ｂと水切り部材３との間の空間５と、空洞１５の少なくとも一部とが、連通状態となるように選ばれていればよい。たとえば、乾式防水シール材３２が、空洞１５の小口１５ａ上に全く被らないようにしてもよい。
【００３５】
このような水切り部材３は、固定部材４によって外壁１０の上部に固定される。次に、固定部材４の構造例および配置例について説明する。なお、水切り部材３および固定部材４は、外壁１０の上部に配置される止水ユニットを構成する。
【００３６】
（固定部材の構造例）
図５は、本発明の実施の形態に係る固定部材４の構造例を示す斜視図である。図２および図５を参照して、固定部材４は、嵌入部４１と、押さえ部４２と、係止部４３とを含む。嵌入部４１は、通気層１２に嵌入される。嵌入部４１は、外壁面材１１の裏面に当接される当接部４１１と、当接部４１１の下端に連結された下端連結部４１２と、下端連結部４１２の屋内側端部より斜め上方へ延びる板バネ部４１３とを有している。当接部４１１には、嵌入後の抜け防止のための爪４１４が設けられている。板バネ部４１３は、当接部４１１から離れる方向に付勢されている。固定部材４は、板バネ部４１３の上端部から屋外側へ延びる上蓋部４４をさらに有している。
【００３７】
押さえ部４２は、水切り部材３の板状部材３１の上部を上方から押さえることで、水切り部材３を、外壁面材１１の上端面１１ｂに固定する。係止部４３は、嵌入部４１の当接部４１１の上端部と押さえ部４２の屋内側端部との間に設けられており、水切り部材３の縁部３３を係止または保持する。係止部４３は、たとえば逆Ｖ字形状の溝を有している。
【００３８】
固定部材４を用いた水切り部材３の設置方法について、図６および図７を用いて具体的に説明する。図６は、本発明の実施の形態に係る水切り部材３と固定部材４との組み立て手順を示す図である。図７は、本発明の実施の形態に係る水切り部材３の設置手順を示す斜視図である。
【００３９】
まず、図６（Ａ），（Ｂ），（Ｃ）を参照して、固定部材４の係止部４３の溝内に、水切り部材３の縁部３３が嵌め込まれる。これにより、水切り部材３は固定部材４により係止または保持される。図７に示されるように、１つの水切り部材３に対し、複数の固定部材４が取り付けられる。その状態で、固定部材４の嵌入部４１を、通気層１２に嵌入する。具体的には、通気層１２において間隔を置いて配置されている胴縁１６間に固定部材４が圧入される。これにより、嵌入部４１の当接部４１１は、外壁面材１１の裏面に圧接され、板バネ部４１３が断熱材１３に圧接される。固定部材４は、水切り部材３の底面（すなわち、乾式防水シール材３２の下面）が、外壁面材１１の上端面１１ｂに当接されるまで、圧入される。固定部材４が十分に押し込まれた場合、押さえ部４２によって水切り部材３は上方より押さえ付けられる。これにより、水切り部材３の下方の乾式防水シール材３２は下方向に圧縮されるため、乾式防水シール材３２と外壁面材１１の上端面１１ｂとの間は隙間なく止水される。
【００４０】
また、固定部材４が十分に押し込まれると、板バネ部４１３の復元力により、通気層１２に確実に固定される。また、当接部４１１には、外壁面材１１側に向かって斜め上方へ突出する爪４１４が形成されているため、上方への抜け落ちも防止される。図６（Ｃ）には、図２に示されるように、水切り部材３が外壁面材１１上端に取付けられた状態の固定部材４の形状が示されている。
【００４１】
以上説明したように、本実施の形態によれば、水切り部材３が、外壁面材１１の上端面１１ｂ全体の蓋として機能する。そのため、外壁面材１１と軒天ランナー２１との取合い部における隙間２３（図３）から、軒裏空間に雨水が吹き上がってきたとしても、上端面１１ｂを止水することができる。また、空洞１５の全てを塞がないように、水切り部材３の屋外側の下面にのみ乾式防水シール材３２が設けられている。そのため、水切り部材３が、外壁面材１１の上端面１１ｂ全体を覆っていても、水切り部材３の屋内側の部分（第２の部分）と外壁面材１１の上端面１１ｂとの間には、空間５が設けられる。したがって、水切り部材３によって、外壁面材１１の上端面１１ｂの防水と、上端面１１ｂからの湿気の排出機能の確保との両方を実現することができる。したがって、水切り部材３を含む止水構造によれば、外壁面材１１を含む外壁１０の凍結や劣化を防ぐことができる。
【００４２】
また、水切り部材３上にまで浸入してきた水は、縁部３３により返される。そのため、水切り部材３の屋内側端部から、空間５を通じて、外壁面材１１の上端面１１ｂ上に浸入水が滴り落ちてしまうことを防ぐこともできる。
【００４３】
また、固定部材４を設けることで、外壁１０の上部に、ボルトレスで水切り部材３を固定することができる。
【００４４】
なお、本実施の形態では、外壁面材１１の表面１１ａに凹凸があるとして説明したが、表面１１ａに凹凸がない外壁面材１１に対しても適用することができる。また、本実施の形態では、外壁面材１１の上端面１１ｂに空洞１５の小口１５ａがあるとして説明したが、空洞１５がない一般的な厚みの外壁に対しても、水切り部材３を適用することができる。このような外壁であっても、上部に水切り部材３を設けることで、上端面の気泡等から雨水が吸水されてしまうことを防止することができる。
【００４５】
また、本実施の形態では、小屋裏換気のための通気口が、軒先側に設けられていることを前提としたが、軒元側に通気口を有する外壁構造においても、本実施の形態に係る止水ユニットを適用することができる。つまり、本実施の形態に係る止水ユニットを適用することで、雨水の浸入経路に関わらず、外壁面材１１の上端面１１ｂを止水することができる。
【００４６】
また、水切り部材３の構造は、上記例に限定されない。水切り部材３の変形例について、以下に説明する。
【００４７】
（水切り部材の変形例１）
水切り部材は、乾式防水シール材３２を含むことなく段差を形成してもよい。このような水切り部材の構造例を、変形例１として図８に示す。
【００４８】
図８は、本発明の実施の形態の変形例１に係る水切り部材３Ａの構造例を示す斜視図である。図８に示されるように、本変形例では、水切り部材３Ａの板状部材３１Ａ自体が、段差を形成している。つまり、板状部材３１Ａは、外壁面材１１の上端面１１ｂに当接される下段部３１１と、外壁面材１１の上端面１１ｂから浮いた状態で配置される上段部３１３と、下段部３１１および上段部３１３を連結し、上下方向に延びる連結部３１２とにより形成されている。
【００４９】
この場合、固定部材４を通気層１２に圧入する際に、水切り部材３Ａの下段部３１１の屋外側端部が浮かないように、水切り部材３Ａの上段部３１３の下面側に、たとえば複数の脚部（図示せず）等を設けることが望ましい。
【００５０】
（水切り部材の変形例２）
また、水切り部材は、外壁面材１１の上端面１１ｂに当接する第１の部分と、外壁面材１１の上端面１１ｂから浮いた状態で配置される第２の部分とを含む構成であれば、外壁面材１１の厚みの範囲内に段差を形成していなくてもよい。たとえば、水切り部材の第２の部分は、たとえば図８に示した水切り部材３Ａの下段部３１１の屋内側端部より、屋内側に向かって斜め上方に延びる傾斜部として形成されていてもよい。
【００５１】
（水切り部材の変形例３）
あるいは、水切り部材は、外壁面材１１の屋外側上端部に当接する部分を有していれば、上端面１１ｂ自体には当接しない構成であってもよい。つまり、水切り部材の第１の部分は、外壁面材１１の上端角部またはその近傍に当接する構成であってもよい。
【００５２】
図９は、本発明の実施の形態の変形例３に係る水切り部材３Ｂを用いた止水構造を示す断面図である。図９を参照して、水切り部材３Ｂの板状部材３１Ｂは、外壁面材１１の屋外側端部から屋内側端部にまで斜め上方に延びている。水切り部材３Ｂは、板状部材３１Ｂの屋外側端部から外壁面材１１の表面１１ａに沿って垂れ下がる垂下部３４をさらに有している。これにより、水切り部材３Ｂは、板状部材３１Ｂと垂下部３４との連結部分の内側において、外壁面材１１の上端角部１１ｃと当接される。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５４】
３，３Ａ，１３０  水切り部材、４  固定部材、５  空間、１０  外壁、１１，１１１  外壁面材、１２  通気層、１３  断熱材、１４  外壁フレーム、１５  空洞、２０，１２０  軒天ボード、２１，１２１  軒天ランナー、２２，３２  乾式防水シール材、２３  隙間、３１，３１Ａ  板状部材、３３  縁部、４１  嵌入部、４２  押さえ部、４３  係止部、４４  上蓋部、３１１  下段部、３１２  連結部、３１３  上段部、４１１  当接部、４１２  下端連結部、４１３  板バネ部、４１４  爪。
【図１】
0005877177.tif 000002
【図２】
0005877177.tif 000003
【図３】
0005877177.tif 000004
【図４】
0005877177.tif 000005
【図５】
0005877177.tif 000006
【図６】
0005877177.tif 000007
【図７】
0005877177.tif 000008
【図８】
0005877177.tif 000009
【図９】
0005877177.tif 000010
【図１０】
0005877177.tif 000011